(57)【要約】【課題】本発明は、紫外線ＬＥＤ（３０）から紫外線を保安文書上に形成された蛍光保安要素（３）に照射して真偽を識別する真偽識別機（１）を提供する。【解決手段】前記紫外線ＬＥＤ（３０）から照射される紫外線を個別に集光させて反射することにより、紫外線蛍光物質を用いて特定の形状に表示された蛍光保安要素（３）に対する真偽をさらに効果的に識別することができる。【選択図】図１
2012504293.tif 000002
【特許請求の範囲】
【請求項１】
内部に収容空間を有し、該収容空間を外部に露出させる開口部が設けられたケースと、
前記収容空間に設置されて開口部を介して外部に露出し、紫外線を個別に反射し得るように凹形の個別反射部が連続配列された反射板と、
前記個別反射部に個別に配置され、保安文書を照明する紫外線ＬＥＤとを含んでなることを特徴とする、真偽識別機。
【請求項２】
前記個別反射部は、円錐状をし、保安文書を照明する紫外線が互いに重なり合うように配列されたことを特徴とする、請求項１に記載の真偽識別機。
【請求項３】
前記個別反射部には波長の互いに異なる紫外線ＬＥＤが配置されたことを特徴とする、請求項１に記載の真偽識別機。
【請求項４】
前記ケースには、波長の互いに異なる紫外線ＬＥＤを選択することができるように波長選択スイッチが設置されたことを特徴とする、請求項１〜３のいずれか１項に記載の真偽識別機。
【発明の詳細な説明】
【技術分野】
【０００１】
本発明は、真偽識別機に係り、さらに詳しくは、紫外線蛍光物質を用いて特定の形状に表示される蛍光保安要素を有する保安文書や偽札などの真偽を識別するための真偽識別機に関する。
【背景技術】
【０００２】
一般に、銀行券、有価証券および身分証明書などを含む保安文書分野において、保安要素に対する分類は大きく４段階に分けられている。
すなわち、第１段階は肉眼識別段階であり、第２段階は簡単な道具を用いて識別する段階であり、第３段階は機械を用いて識別する段階であり、第４段階は非公開保安要素を識別する非公開段階である。
ここで、蛍光物質を用いる方法は、第２段階の保安等級に該当し、比較的簡単な道具で正確な識別が可能なので、大部分の保安文書に広く採用されている。
このような蛍光保安要素の例としては、蛍光色糸、蛍光縫い目、蛍光隠し線、蛍光イメージおよび蛍光文字などがあり、例えば銀行券、有価証券および各種身分証明書などの保安性および識別性を維持するのに重要な役割を担当している。
【０００３】
一方、蛍光保安要素を識別するための偽札探知機は、代表的に［特許文献１］、［特許文献２］、［特許文献３］および［特許文献４］のものを例として挙げることができる。これらの文献ではいずれも、紫外線ランプを用いて蛍光保安要素を確認しているが、前記紫外線ランプは、光出力が低くて蛍光保安要素の確認に非効果的であり、寿命も短くて経済的ではないうえ、水銀の使用による環境汚染を誘発するという問題がある。
かかる問題を解決するために、［特許文献５］および［特許文献６］では紫外線ＬＥＤを用いて蛍光保安要素を確認しているが、これらの文献の技術は、集光構造が脆弱であって、真偽識別が容易ではないという問題がある。
上述した文献に係る紫外線ＬＥＤの問題を解決するために、［特許文献７］ではシリンダーレンズと個別反射部を用いる方法を提示している。
【先行技術文献】
【特許文献】
【０００４】
【特許文献１】韓国登録実用新案第０３４３４９４号公報
【特許文献２】韓国登録実用新案第０２５２２９４号公報
【特許文献３】韓国登録実用新案第０２８８６７１号公報
【特許文献４】韓国公開特許第２００４−００２３１９３号公報
【特許文献５】韓国登録実用新案第０３９５６３６号公報
【特許文献６】韓国登録実用新案第０４０６４１１号公報
【特許文献７】韓国公開特許第２００８−００２４３６０号公報
【発明の概要】
【発明が解決しようとする課題】
【０００５】
本発明は、紫外線ＬＥＤの集光構造が脆弱な問題を［特許文献７］とは異なる構造によって解決するためのものである。
本発明の目的は、紫外線を個別に反射して光の広がりによる損失を最小化し、これにより保安文書の真偽をより効果的に識別し得るようにした真偽識別機を提供することにある。
本発明の他の目的は、波長の互いに異なる紫外線で保安文書を選択的に照明して真偽をさらに明確に識別し得るようにした真偽識別機を提供することにある。
【課題を解決するための手段】
【０００６】
上記目的を達成するために、本発明は、内部に収容空間を有し、該収容空間を外部に露出させる開口部が設けられたケースと、前記収容空間に設置されて開口部を介して外部に露出し、紫外線を個別に反射し得るように凹形の個別反射部が連続配列された反射板と、前記個別反射部に個別に配置され、保安文書を照明する紫外線ＬＥＤとを含んでなる、真偽識別機を提供する。
【発明の効果】
【０００７】
本発明の構成によれば、紫外線ＬＥＤから照射された紫外線が個別反射部に個別に反射され、光の広がりによる損失なしに保安文書を高輝度で照明することにより、蛍光保安要素に対する真偽をさらに容易に識別することができるため、真偽識別の信頼性を高めることができるという効果がある。
【０００８】
また、個別反射部が円錐状をして紫外線が互いに重なり合うように連続配列されることにより、紫外線ＬＥＤから照射された紫外線が互いに重なり合って保安文書に集中照明区間を形成し、これにより保安文書の真偽識別がさらに明確になるという効果がある。
ひいては、波長の異なる紫外線ＬＥＤを用いて保安文書に個別照明区間を形成することにより、当該紫外線波長に反応する特定蛍光保安要素をさらに明確に識別することができ、波長選択スイッチによって全体的な電力消費を減らし、紫外線ＬＥＤの寿命を延長するという効果がある。
よって、銀行券はもとより、保安文書を主に取り扱う有価証券などの様々な保安文書分野において、その真偽を簡便に確認することができることにより、偽・変造の防止および犯罪の予防に大きく寄与することができるなどの非常に有用な発明である。
【０００９】
本発明の前記および他の目的、特徴および利点は、添付図面を参照する次の説明からさらに明確に理解されるであろう。
【図面の簡単な説明】
【００１０】
【図１】本発明の一実施例に係る真偽識別機を示す斜視図である。
【図２】図１の真偽識別機を示す分解斜視図である。
【図３】図１の真偽識別機を一部切開して示す断面図である。
【図４】図１の真偽識別機による識別状態を示す斜視図である。
【図５】本発明の他の実施例に係る真偽識別機を示す斜視図である。
【図６】図５の真偽識別機による識別状態を示す斜視図である。
【図７】図５の真偽識別機による識別状態を示す斜視図である。
【図８】図５の真偽識別機による識別状態を示す斜視図である。
【図９】図５の真偽識別機による識別状態を示す斜視図である。
【発明を実施するための形態】
【００１１】
以下、本発明の好適な実施例を添付図面に基づいて詳細に説明する。
図１は本発明の一実施例に係る真偽識別機を示す斜視図であって、紫外線ＬＥＤが個別に設置された真偽識別機を示している。
図２は本発明の実施例に係る真偽識別機を示す分解斜視図であって、紫外線を個別に反射させ得るように個別反射部が連続配列された反射板がケースの開口部に設置され、この反射板の前面には透視窓が設置されることを示している。
図３は本発明の実施例に係る真偽識別機を一部切開して示す断面図であって、ケースの内部に反射板、紫外線ＬＥＤおよび透視窓が順次設置されたことを示している。
図４は本発明の実施例に係る真偽識別機による識別状態を示す斜視図であって、紫外線ＬＥＤを用いて保安文書を照明して蛍光保安要素を露出させることを示している。
図５は本発明の他の実施例に係る真偽識別機を示す斜視図であって、紫外線ＬＥＤを個別に動作させるための波長選択スイッチがケースに設置されたことを示している。
図６〜図９は図５の真偽識別機による識別状態を示す斜視図であって、波長の異なる紫外線ＬＥＤが個別的に保安文書を照明して特定蛍光保安要素を露出させることを示している。
【００１２】
すなわち、本発明に係る真偽識別機１は、全体的な外形を形成するケース１０と、個別反射部２１が設けられた反射板２０と、保安文書２を個別に照明する紫外線ＬＥＤとから構成されることをその技術上の基本特徴とする。
【００１３】
本発明に係るケース１０は、底部１１および側壁１２から構成され、この側壁１２の上部には前記ケース１０の内部に各種構成品が設置される収容空間１４が設けられるように上板１３が設置された構成であって、前記収容空間１４を外部に露出させる開口部１５が図１および図２に示すように前面に設けられている。
このようなケース１０は主に合成樹脂を用いて射出成形して提供しているが、特に耐久性を要求する場合には金属で形成してもよい。
このようなケース１０の内部収容空間１４には、紫外線ＬＥＤ３０に電源を供給し得るようにバッテリーを着脱可能に内蔵してもよいが、前記バッテリーの他にも、ケース１０から引き出された電線を建物のコンセントに接続して紫外線ＬＥＤ３０に電源を供給することができるので、前記バッテリーの内蔵は選択事項である。
【００１４】
但し、前記バッテリーが収容空間１４に内蔵される場合には、ケース１０にバッテリーの充電状態を随時確認することができるように側壁１２に充電端子１６を取り付けて提供し、これによりバッテリーの取替えの便宜性を高める。
また、前記ケース１０には、電源スイッチ１７が取り付けられて紫外線ＬＥＤ３０をオン／オフ制御し、この際の電源スイッチ１７は、主にケース１０の上板１３に取り付けられている。
しかも、前記ケース１０にはベルトクリップ（図示せず）またはスナップコード（図示せず）などが取り付けられてもよく、これにより真偽識別機１の携帯性を高めることができる。
【００１５】
本発明に係る反射板２０は、紫外線ＬＥＤ３０から照射される紫外線を反射して保安文書２に照明区間Ａを形成し、この紫外線が個別に反射されるように、図２および図３に示すように個別反射部２１が連続配列されて提供される。
【００１６】
すなわち、前記個別反射部２１は、紫外線ＬＥＤ３０から照射される紫外線の経路を個別に制御して紫外線を集光させることができるように反射板２０に凹形として連続配列されて提供される。このような個別反射部２１の実施例として、本発明では反射板２０に３つの個別反射部２１が並んで設けられていることを示している。
ここで、前記個別反射部２１は、保安文書２を照明して照明区間Ａを形成する紫外線が互いに重なり合って保安文書２上に集中照明区間Ａ−Ｏを形成することができるように、反射板２０に形成および配列されることが好ましい。
これは紫外線が互いに重なり合うときに光量が増加してさらに明るくなり、これにより保安文書２の蛍光保安要素３をさらに容易に識別することができるためである。
このために、個別反射部２１は、円錐状をして、紫外線が互いに重なり合った状態で保安文書２を照明して集中照明区間Ａ−Ｏを形成することが可能な間隔で配列されている。
【００１７】
したがって、紫外線ＬＥＤ３０から照射された紫外線はそれぞれの個別反射部２１を介して個別に反射されて保安文書２に照明区間Ａを形成し、特に紫外線が互いに重なり合って集中照明区間Ａ−Ｏを形成することにより、保安文書２の真偽識別がさらに容易に行われる。
このような個別反射部２１を含む反射板２０は、紫外線を集光させ反射する過程で光の吸収と散乱による損失を最小化し得るように、ニッケル（Ｎｉ）、銀（Ａｇ）がコート或いはメッキされた材質を用いて成形製作されることが好ましく、さらに好ましくは紫外線反射率が最も高いアルミニウムを用いて成形製作される。
このような反射板２０の前面には、開口部１５を遮蔽して異物などの浸透は防止し且つ紫外線は損失なしに最大で通過させることが可能な透明素材の透視窓２２が配置されてもよい。
【００１８】
本発明に係る紫外線ＬＥＤは、保安文書２に形成された蛍光保安要素３を紫外線で照明して露出させ、このために窒化物系材料を用いて紫外線波長を放出する。
好ましくは４００ｎｍ未満の紫外線波長を放出する紫外線ＬＥＤ３０が主に用いられるが、これは保安文書２に採用される蛍光保安要素がおよそ４００ｎｍ未満の紫外線波長帯でのみ反応する物質だからである。
したがって、４００ｎｍ未満の紫外線波長を放出する紫外線ＬＥＤ３０を使用することが蛍光保安要素３の識別に容易である。
このような紫外線ＬＥＤ３０は、図１〜図３に示すように、反射板２０の個別反射部２１に個別に配置され、収容空間１４上に設置される基板１８に接続され、これにより前記基板１８に電気的に接続された電源スイッチ１７による制御が可能である。
前記基板１８は、真偽識別機１の技術分野で広く知られている公知の構成であって、過電流による紫外線ＬＥＤ３０の損傷を防止するための回路などが構成されている。
【００１９】
したがって、それぞれの紫外線ＬＥＤ３０は電源スイッチ１７の操作によって電源供給を受けて紫外線を照射し、この照射された紫外線は個別反射部２１を介して個別に集光して反射された後、開口部１５を経て保安文書２を個別に照明する。
【００２０】
次に、このような真偽識別機１を用いて保安文書２の蛍光保安要素３を識別する過程について具体的に説明する。
まず、中心波長３６５ｎｍの高出力紫外線ＬＥＤ３０は、個別反射部２１に個別に配置された状態でケース１０内の基板１８に接続され、電源スイッチ１７の操作によって電源供給を受けて紫外線を照射する。照射された紫外線は保安文書２から１５ｃｍの距離で保安文書２上に面積２０×１０ｃｍの紫外線照明区間Ａを形成する。
【００２１】
すなわち、ケース１０の電源スイッチ１７を操作すると、電気的に接続された紫外線ＬＥＤ３０が紫外線を照射し、この紫外線は個別反射部２１を介して集光し反射されて、図４に示すように、保安文書２に円形の照明区間Ａを形成する。
この際、前記保安文書２には、前述したように個別反射部２１の形状および配列距離に応じて集中照明区間Ａ−Ｏが形成される。
したがって、このような照明区間Ａおよび集中照明区間Ａ−Ｏを介して保安文書２の蛍光保安要素３を識別することができることにより、例えば銀行券、有価証券、パスポート、ＩＤカードなどに適用された蛍光保安要素３の真偽をより確実に識別する。
【００２２】
一方、本発明に係る真偽識別機１には、波長の互いに異なる紫外線ＬＥＤ３０が個別反射部２１に設置されて提供され、これにより紫外線波長の強さに応じて反応する特蛍光保安要素４を識別することができる。
すなわち、例えば紫外線中心波長２５４ｎｍ、３１３ｎｍおよび３６５ｎｍの紫外線ＬＥＤ３０が個別反射部２１に個別に設置されることにより、保安文書２には図６に示すように個別照明区間Ａ−１、Ａ−２、Ａ−３が形成され、これにより例えば銀行券、有価証券、パスポート、ＩＤカードなどに適用された特定蛍光保安要素４を識別することができる。
【００２３】
本発明に係る波長選択スイッチ１９は、波長の互いに異なる紫外線ＬＥＤ３０を選択することができるようにケース１０に取り付けられて提供される。
すなわち、前記波長選択スイッチ１９は、図５に示すように、主にケース１０の上板１３に取り付けられ、所望の紫外線波長を放出する紫外線ＬＥＤ３０を選択できるようにする。この状態で電源スイッチ１７を操作すると、該当する紫外線波長が紫外線ＬＥＤ３０から照射される。
【００２４】
したがって、図７〜図９に示すように、前記波長選択スイッチ１９によって選択された紫外線ＬＥＤ３０から照射された紫外線を保安文書２に照らして個別照明区間Ａ−１、Ａ−２、Ａ−３をそれぞれ形成すると、前記個別照明区間Ａ−１、Ａ−２、Ａ−３には当該紫外線波長に反応する特定蛍光保安要素４が保安文書２上に露出することにより、本発明に係る真偽識別機１の全体的な電力消費および紫外線ＬＥＤ３０の寿命短縮を回避しながら、保安文書２０の真偽はさらに明確に識別することができる。
【図１】
2012504293.tif 000003
【図２】
2012504293.tif 000004
【図３】
2012504293.tif 000005
【図４】
2012504293.tif 000006
【図５】
2012504293.tif 000007
【図６】
2012504293.tif 000008
【図７】
2012504293.tif 000009
【図８】
2012504293.tif 000010
【図９】
2012504293.tif 000011
【国際調査報告】
2012504293.tif 000012
2012504293.tif 000013